(57)【要約】      （修正有）【課題】ＩＰネットワーク上でマルチメディアサービスを提供する方法及びそのシステムを提供する。【解決手段】ＩＰ（Ｉｎｆｏｒｍａｔｉｏｎ Ｐｒｏｖｉｄｅｒ）基盤の移動性サービスを提供するシステムがマルチメディアサービスを提供する方法において、マルチメディアサービスを提供されているユーザが、第１の端末から第２の端末に変更したか否かを感知するステップと、第２の端末の特性情報を獲得するステップと、特性情報に合わせてマルチメディアサービスを変換して提供するステップと、を含むＩＰネットワーク上でマルチメディアサービスを提供する。アクセス網は変更されないが、端末が変更される場合、端末は変更されないが、アクセス網の変更がある場合に、端末とアクセス網との特性を網で自動認識して、当該特性に合わせてメディアを自動変換する。【選択図】図２
2010154532.tif 000002
【特許請求の範囲】
【請求項１】
ＩＰ基盤移動性サービスを提供するシステムがマルチメディアサービスを提供する方法において、
前記マルチメディアサービスを提供されているユーザが、第１の端末から第２の端末に変更したか否かを感知するステップと、
前記第２の端末の特性情報を獲得するステップと、
前記特性情報に合わせてマルチメディアサービスを変換して提供するステップと
を含むことを特徴とするＩＰネットワーク上でマルチメディアサービスを提供する方法。
【請求項２】
前記第２の端末に変更したか否かを感知するステップは、
認証サーバが前記第２の端末の特性情報を獲得するステップと、
前記特性情報に基づいて前記第２の端末の認証を行った後に、接続を許可するステップと
を含むことを特徴とする請求項１に記載のＩＰネットワーク上でマルチメディアサービスを提供する方法。
【請求項３】
前記第２の端末の特性情報を獲得するステップは、
前記第２の端末のＭＡＣアドレスとＥＮＵＭとを含む固有ＩＤに基づいて獲得するステップを含むことを特徴とする請求項１に記載のＩＰネットワーク上でマルチメディアサービスを提供する方法。
【請求項４】
前記第２の移動端末の特性情報を獲得するステップは、
前記第２の端末を認証する認証サーバ、または前記第２の端末が前記ＩＰネットワークに接続するように連結する装置で獲得することを特徴とする請求項３に記載のＩＰネットワーク上でマルチメディアサービスを提供する方法。
【請求項５】
ＩＰ基盤移動性サービスを提供するシステムがマルチメディアサービスを提供する方法において、
第１のアクセス網を通じて前記マルチメディアサービスを端末に提供されているユーザが、第２のアクセス網を通じて接続するか否かを感知するステップと、
前記端末の特性情報及び第２のアクセス網の特性情報を獲得するステップと、
前記特性情報に合わせてマルチメディアサービスを変換して提供するステップと
を含むことを特徴とするＩＰネットワーク上でマルチメディアサービスを提供する方法。
【請求項６】
前記第２のアクセス網を通じて接続するか否かを感知するステップは、
認証サーバが前記第２の端末の情報を獲得するステップと、
前記情報に基づいて認証を行った後に前記第２のアクセス網への接続を許可するステップと
を含むことを特徴とする請求項５に記載のＩＰネットワーク上でマルチメディアサービスを提供する方法。
【請求項７】
前記第２の端末の特性情報を獲得するステップは、
前記第２の端末のＭＡＣアドレスとＥＮＵＭとを含む固有ＩＤに基づいて獲得するステップを含むことを特徴とする請求項５に記載のＩＰネットワーク上でマルチメディアサービスを提供する方法。
【請求項８】
前記第２の端末の特性情報を獲得するステップは、
前記第２の端末を認証する認証サーバまたは前記第２の端末が前記ＩＰネットワークに接続するように連結する装置で、前記第２の端末の特性情報を獲得することを特徴とする請求項７に記載のＩＰネットワーク上でマルチメディアサービスを提供する方法。
【請求項９】
前記第２のアクセス網の特性情報は、
前記第２のアクセス網の資源情報、伝送特性を含むことを特徴とする請求項５に記載のＩＰネットワーク上でマルチメディアサービスを提供する方法。
【請求項１０】
マルチメディアサービスをＩＰ基盤ネットワークに提供するシステムにおいて、
前記マルチメディアサービスを提供される端末と、
前記端末と前記ネットワークとの接続を行う接続装置と、
前記端末の変更及びアクセス網が変更されれば、その変更された端末の特性情報、または変更されたアクセス網の特性情報によって、前記マルチメディアサービスを変換して提供する変換装置と、を備えることを特徴とするＩＰネットワーク上でマルチメディアサービスを提供するシステム。
【請求項１１】
前記接続装置は、
前記端末の変更がある場合、端末認証後に端末の特性情報を前記変換装置が認知して、前記変換装置がメディアの特性を変更して、マルチメディアサービスを前記変更された端末に伝達することを特徴とする請求項１０に記載のＩＰネットワーク上でマルチメディアサービスを提供するシステム。
【請求項１２】
前記接続装置は、
前記端末は変更されず、アクセス網が変われば、前記認証サーバが新たな認証を行わせ、前記端末の特性情報及び変更されたアクセス網の特性情報を前記変換装置に提供した後、前記変換装置が特性情報によってメディア特性を変更した後にマルチメディアサービスを前記端末にさらに伝達することを特徴とする請求項１０に記載のＩＰネットワーク上でマルチメディアサービスを提供するシステム。
【請求項１３】
前記アクセス網の特性情報は、
前記アクセス網の資源情報と伝送特性とを含むことを特徴とする請求項１０に記載のＩＰネットワーク上でマルチメディアサービスを提供するシステム。
【請求項１４】
前記端末の特性情報は、
前記端末のＭＡＣアドレスとＥＮＵＭとを含む固有ＩＤに基づいて得られることを特徴とする請求項１０に記載のＩＰネットワーク上でマルチメディアサービスを提供するシステム。
【請求項１５】
前記端末の特性情報は、
前記端末のＭＡＣアドレスとＥＮＵＭとを含む固有ＩＤに基づいて得られることを特徴とする請求項１１に記載のＩＰネットワーク上でマルチメディアサービスを提供するシステム。
【発明の詳細な説明】
【技術分野】
【０００１】
本発明は、ＩＰ（Ｉｎｆｏｒｍａｔｉｏｎ Ｐｒｏｖｉｄｅｒ）基盤の移動環境で、端末やアクセス網の特性に関係なしに品質劣化のないマルチメディアサービスを提供できる方法及びそのシステムに関する。
【背景技術】
【０００２】
ユーザの移動が頻繁になり、アクセス環境がＨＳＰＡ（Ｈｉｇｈ Ｓｐｅｅｄ Ｐａｃｋｅｔ Ａｃｃｅｓｓ）、ＷｉＢｒｏ（Ｗｉｒｅｌｅｓｓ Ｂｒｏａｄｂａｎｄ）、ＷｉＦｉなどの無線環境に急に転換されており、端末もノート型パソコン、携帯電話、ＰＤＡ（Ｐｅｒｓｏｎａｌ Ｄｉｇｉｔａｌ Ａｓｓｉｓｔａｎｔｓ）に多様化している。
【０００３】
ユーザの移動中にアクセス網の変更または端末の変更が起きる場合、既に提供されたサービスを持続的に提供するための技法が提示されているが、代表的なものとして、３ＧＰＰ（３ｒｄ Ｇｅｎｅｒａｔｉｏｎ Ｐａｒｔｎｅｒｓｈｉｐ Ｐｒｏｊｅｃｔ）でＩＭＳ（ＩＰ Ｍｕｌｔｉｍｅｄｉａ Ｓｕｂｓｙｓｔｅｍ）基盤のＭｕｌｔｉｍｅｄｉａ Ｓｅｓｓｉｏｎ Ｃｏｎｔｉｎｕｉｔｙという名称でその妥当性について議論されている。しかし、これらは、使用中であるサービス（Ｓｅｓｓｉｏｎ）の端末対端末間、アクセス網対アクセス網間の切り替え（Ｐｒｏｔｅｃｔｉｏｎ）に対する解決法を求めているだけ、サービスが切り替えられた時にアクセス網の網資源、端末特性による品質劣化防止に対する解決法は提示できないという問題点がある。
【発明の概要】
【発明が解決しようとする課題】
【０００４】
本発明が解決しようとする技術的課題は、移動環境でアクセス網の特性や端末特性の変化に関係なしに、品質劣化のないマルチメディアサービスを持続的に提供するための方法及びそのシステムを提供することである。
【課題を解決するための手段】
【０００５】
上記課題を解決するために、本発明によるＩＰネットワーク上でマルチメディアサービスを提供する方法は、ＩＰ基盤移動性サービスを提供するシステムがマルチメディアサービスを提供する方法において、前記マルチメディアサービスを提供されているユーザが第１の端末から第２の端末に変更したか否かを感知するステップと、前記第２の端末の特性情報を獲得するステップと、前記特性情報に合わせてマルチメディアサービスを変換して提供するステップと、を含むことを特徴とする。
【０００６】
上記課題を解決するために、本発明によるＩＰネットワーク上でマルチメディアサービスを提供する方法は、ＩＰ基盤移動性サービスを提供するシステムがマルチメディアサービスを提供する方法において、第１のアクセス網を通じて前記マルチメディアサービスを端末に提供されているユーザが、第２のアクセス網を通じて接続するか否かを感知するステップと、前記端末の特性情報及び第２のアクセス網の特性情報を獲得するステップと、前記特性情報に合わせてマルチメディアサービスを変換して提供するステップと、を含むことを特徴とする。
【０００７】
上記課題を解決するために、本発明によるＩＰネットワーク上でマルチメディアサービスを提供するシステムは、マルチメディアサービスをＩＰ基盤ネットワークに提供するシステムにおいて、前記マルチメディアサービスを提供される端末と、前記端末と前記ネットワークとの接続を行う接続装置と、前記端末の変更及びアクセス網が変更されれば、その変更された端末の特性情報または変更されたアクセス網の特性情報によって、前記マルチメディアサービスを変換して提供する変換装置と、を備えることを特徴とする。
【発明の効果】
【０００８】
本発明によるＩＰネットワーク上でマルチメディアサービスを提供する方法及びシステムによれば、アクセス網は変更されないが、端末が変更される場合、端末は変更されないが、アクセス網の変更がある場合に、端末及びアクセス網の特性を網で自動認識して、当該特性に合うようにメディアを自動変換させることによって、マルチメディアの品質劣化のないサービスを受けられ、特に、多様な端末環境でユーザの端末特性（端末容量、ディスプレイサイズ）及びそれによるユーザＳＬＡ（Ｓｅｒｖｉｃｅ Ｌｅｖｅｌ Ａｇｒｅｅｍｅｎｔ）を満足させうるサービスを提供できる。
【図面の簡単な説明】
【０００９】
【図１】本発明が適用されるネットワークの概念的構成図である。
【図２】本発明による端末変更時、認証サーバとメディア変換装置との連係を通じたサービスを提供する方法の流れを示す図である。
【図３】本発明による端末の移動時、アクセスネットワークの変更によるネットワーク装備とメディア変換装置との連係を通じたサービスを提供する方法の流れを示す図である。
【図４】本発明による端末変更時、ネットワーク接続装置上でメディア変換が起きる方法の流れを示す図である。
【発明を実施するための形態】
【００１０】
以下、添付された図面を参照しつつ、本発明の望ましい一実施形態を詳細に説明する。
【００１１】
図１は、本発明が適用されるネットワークの概念的構成図であり、図２は、本発明による端末変更時、認証サーバとメディア変換装置との連係を通じたサービスを提供する方法の流れを示す図面である。そして、図３は、本発明による端末の移動時、アクセスネットワーク変更によるネットワーク装備とメディア変換装置との連係を通じたサービスを提供する方法の流れを示す図面であり、図４は、本発明による端末変更時、ネットワーク接続装置上でメディア変換が起きる方法の流れを示す図面である。
【００１２】
本発明が解決しようとする目的として、端末機の変更または移動、そして、アクセス網の変更にも拘らず、品質劣化のないメディアサービスを提供するためには、アクセス網または端末の特性変化を含む伝達階層の状態変化についてネットワーク階層、または応用階層で自動感知して判断できる能力がなければならず、このような伝達階層の特性変化によって、メディア特性を変化させて伝達できる能力を備えることが望ましい。
【００１３】
図１は、端末機の変更、移動、アクセス網の変更時、品質劣化のないメディアサービスを提供できるネットワークの概念的な構成図を示す。図１で、ネットワーク１００は、各加入者別に相異なるＳＬＡ（Ｓｅｒｖｉｃｅ Ｌｅｖｅｌ Ａｇｒｅｅｍｅｎｔ）基盤サービスを提供できるネットワークである。このネットワークには、ネットワーク接続装置１３５,１４５,１５５が位置するが、ネットワーク接続装置は、ＩＰパケットを処理できる開始点となる。アクセス網の無線網１３０,１４０の場合、ネットワーク接続装置１３５,１４５には、無線接続装置１３３,１４３が一つ以上連結されており、ユーザは、無線通信の可能な移動端末１３１,１３２,１４１を通じてネットワークに接続し、有線網１５０では、固定端末１５１を通じてネットワークサービスが使用できる。このとき、サービスは、応用サーバ１７０とクライアント/サーバ形態のサービスとそれ以外の移動端末との端対端通信形態のサービスとなりうる。
【００１４】
認証サーバ１５０とユーザＤＢ１６０は、ユーザ情報及びユーザの端末情報を含み、ネットワーク及びサービスについての認証を行う。メディア変換装置１１０は、ユーザ移動時にアクセスネットワークの特性または端末特性を含む伝達階層の特性変化を感知して既に伝送されているメディアの特性を変化させて該当端末に伝送させる。このとき、メディア変換装置１１０は、変更された端末の特性情報または変更されたアクセス網の特性情報を知らねばならない。変更された端末の特性情報は、ユーザＤＢ１６０に保存されている情報を活用して認証サーバ１５０と連動して知る方法、ネットワーク接続装置１３５,１４５,１５５またはそれ以外のネットワーク装備に、端末の特性情報を抽出／記録できる機能を置き、当該機能とメディア変換装置１１０との連動を通じてメディア変換装置１１０が自動的に端末の特性を理解し、メディア特性を変更する方法が望ましい。このとき、端末の特性情報は、その端末のＭＡＣ（Ｍｅｄｉａ Ａｃｃｅｓｓ Ｃｏｎｔｒｏｌ）アドレス、ＥＮＵＭを含む固有ＩＤに基づいて獲得することが望ましい。アクセス網の特性は、ネットワーク接続装置１３５,１４５,１５５が当該ネットワークの特性を抽出してメディア変換装置に伝達し、メディア変換装置は、これにより、自動的にメディア特性を変更させうる方法が望ましい。
【００１５】
メディア変換装置１１０は、アプリケーションサーバの機能、ネットワーク上の別途の装備、ネットワーク接続装置を備える伝達装備の機能で具現されることが望ましい。
【００１６】
アクセス網の特性は、アクセス網の遊休資源や伝送限界容量のような伝送特性となり、端末の特性は、バッファリング能力と関連する記憶装置容量、ディスプレイ特性、端末に搭載されたコーデック情報となりうる。また、メディアの特性は、メディア伝達のために必要な帯域幅、コーデックの特性、画面サイズとなりうる。
【００１７】
図２は、本発明による端末変更時、認証サーバとメディア変換装置との連係を通じたサービスを提供する方法の流れを示す図面である。ユーザが端末１ ２１０を利用してメディアを伝送されている状態（Ｓ２１０）から端末２ ２２０に端末を変更（Ｓ２２０）すれば、端末２ ２２０の情報を通じて認証手続きを行った（Ｓ２３０ないしＳ２４０）後、認証サーバ２４０は、端末接続許可（Ｓ２５０）を行い、ユーザＤＢの端末特性情報をメディア変換装置２５０に伝達（Ｓ２６０）する。それにより、メディア変換装置２５０は、応用サーバ２６０から伝送されるメディア（Ｓ２７０）を変更された端末の特性に合わせてメディア特性変換を行った後（Ｓ２８０）、端末に伝送（Ｓ２９０）する。
【００１８】
図３は、本発明による端末の移動時、アクセスネットワークの変更によるネットワーク装備とメディア変換装置との連係を通じたサービスを提供する方法の流れを示す図面である。端末３１０がネットワーク接続装置１ ３２０を使用（Ｓ３１０）して応用サーバ３６０が提供するメディアを提供されて（Ｓ３２０）ネットワーク接続装置２ ３３０にアクセスネットワークを変更する場合、端末情報を利用した端末の認証手続きを行った（Ｓ３３０ないしＳ３４０）後、ネットワーク接続装置は、端末の特性情報を抽出する（Ｓ３６０）。図２の場合、すなわち、端末が変更された場合とは異なり、この場合には、端末の接続するアクセスネットワークが変更された場合であるので、端末の特性情報だけでなく、新たなアクセスネットワークの特性情報も共に伝えられねばならない。その結果、アクセスネットワークと端末との特性情報がメディア変換装置に伝達（Ｓ３７０）されれば、応用サーバから伝送された（Ｓ３８０）メディアは、メディア変換装置３５０でメディアの特性がアクセス網の特性に合わせて変更された（Ｓ３９０）後、端末に伝送（Ｓ３４０）される。
【００１９】
図４は、本発明による端末変更時、ネットワーク接続装置上でメディア変換が起きる方法の流れを示す図面である。特に、この場合は、メディア変換装置がネットワーク接続装置内にある場合を示している。ユーザが端末１ ４１０を利用してメディア伝送を受けている状態（Ｓ４１０）で、端末２ ４２０に端末を変更（Ｓ４２０）すれば、端末２ ４２０の情報を通じて認証手続きを行う（Ｓ４３０ないしＳ４５０）。このとき、ネットワーク接続装置４３０内に備えられた前記メディア変換装置は、端末の特性情報を抽出して保存し（Ｓ４６０）、伝送されていたメディア（Ｓ４７０）を当該端末の特性に合わせてメディア特性を変換し（Ｓ４８０）、端末に伝送（Ｓ４９０）する。
【００２０】
本発明はまた、コンピュータ読取可能な記録媒体にコンピュータ可読コードとして具現できる。コンピュータ読取可能な記録媒体は、コンピュータシステムによって読み取られるデータが保存されるすべての種類の記録装置を含む。コンピュータ読取可能な記録媒体の例としては、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ、ＣＤ−ＲＯＭ、磁気テープ、フロッピーディスク、光データ保存装置があり、また、キャリアウェーブ（例えば、インターネットを通じた伝送）による表示の形態で具現されるものも含む。また、コンピュータ読取可能な記録媒体は、ネットワークに連結されたコンピュータシステムに分散されて、分散方式でコンピュータ可読コードが保存され、かつ実行されうる。
【００２１】
以上、本発明についてその望ましい実施形態を中心に説明した。当業者は、本発明が本発明の本質的な特性から離脱しない範囲で変形された形態で具現されうるということが分かるであろう。したがって、開示された実施形態は、限定的な観点でなく、説明的な観点で考慮されねばならない。本発明の範囲は、前述した説明でなく、特許請求の範囲に表れており、それと同等な範囲内にあるすべての差異点は、本発明に含まれたと解釈されねばならない。
【００２２】
本発明は、無線端末関連の技術分野に好適に適用可能である。
【符号の説明】
【００２３】
２１０    端末１
２２０    端末２
２３０    ネットワーク接続装置
２４０    認証サーバ
２５０    メディア変換装置
２６０    応用サーバ
【図１】
2010154532.tif 000003
【図２】
2010154532.tif 000004
【図３】
2010154532.tif 000005
【図４】
2010154532.tif 000006